(57)【特許請求の範囲】
【請求項１】
開閉接触子と本体端子とを備えた遮断器本体及び外線接続端子を備え前記遮断器本体の裏面に位置する取付台を有し、前記遮断器本体と前記取付台を結合することによって前記両端子が接触するプラグイン型回路遮断器において、
前記遮断器本体の裏面に装着される安全ユニットを有し、
前記安全ユニットはスライド部材と、前記スライド部材の変位に追随して回転するロックレバーと、前記スライド部材を前記遮断器本体方向に付勢するばねとを有し、
前記遮断器本体は、前記開閉接触子の変位位置に応じて変位し、前記開閉接触子が接触している位置において前記スライド部材の前記ばねの付勢による変位を阻止する開閉検知部材を有し、
前記取付台は、前記遮断器本体の開閉接触子が接触している位置にあるとき前記ロックレバーと当接して前記遮断器本体の取付方向の移動を阻止するブロック部材と前記ロックレバーと係合して前記遮断器本体の取外方向の移動を阻止する係合手段を備えることを特徴とするプラグイン型回路遮断器。
【請求項２】
前記取付台には前記遮断器本体が取り付けられたとき前記安全ユニットと接触して動作するマイクロスイッチが設けられていることを特徴とする請求項１のプラグイン型回路遮断器。
【発明の詳細な説明】
【０００１】
【発明の属する技術分野】
本発明は、遮断器本体がＯＮの状態で取付台に取り付けたり取付台から取り外すことを防止する安全装置を有するプラグイン型回路遮断器に関する。
【０００２】
【従来の技術】
回路遮断器には、成型絶縁物のケース内に開閉接触子と開閉機構と本体側端子を備えた遮断器本体及び成型絶縁物製のベースに外線接続端子を備えた取付台とからなるプラグイン型と呼ばれる回路遮断器がある。プラグイン型回路遮断器は、遮断器本体が取付台に取り付けられたとき本体側端子が外線接続端子と接触することによって電気回路に接続される。このプラグイン型回路遮断器には一つの問題点がある。すなわち、遮断器本体がＯＮの状態で取付台に装着したり取付台から取り外すとき、それぞれ、両端子が接触したり開離する際に両端子間で高温のアークが発生して危険な状態が生ずることがある。
【０００３】
このような問題を解決する従来のプラグイン型回路遮断器が、特開平８−２５０００９号公報に開示されている。図１１を参照して、この従来の回路遮断器は、遮断器本体１００と取付台１０１からなっている。遮断器本体１００は、成型絶縁物製のケース１０２と、いずれもケース１０２内に収納された、図示されていない開閉接触子及び開閉接触子を操作する開閉機構、反時計方向に回転することによって開閉機構を動作させて開閉接触子を開離させるトリップ機構１０３及びいずれか一方が入力側で他方が出力側の本体側端子１０４，１０４及び復帰ばねを備え底部から表面方向に押されることによってトリップ機構を動作させる動作棒１０５を有する。取付台１０１は、成型絶縁物製のベース１０６、本体側端子１０４，１０４に対応する外線接続端子１０７，１０７、ばね１０８によって本体側端子１０４と外線接続端子１０７を接続する接続片１０９及びばね１１０によって反時計方向に付勢されている動作レバー１１１を有する。動作レバー１１１は係止端１１１ｂがケース１０２の底部と接触してその先端１１１ａが動作棒１０５と対向する位置にある
【０００４】
この回路遮断器は図１１のＯＮ状態にある遮断器本体１００を取付台１０１から取り外すときは、開閉機構に回転自在に支持されているハンドル１１２を時計方向に回転させて開閉機構を操作して開閉接触子を開離させる。しかし、この操作を行わずに取り外す操作を行うと、動作レバー１１１が反時計方向に回転する。このとき、遮断器本体１００が取付台１０１から離れる寸法より動作レバー１１１の先端１１１ａが回転する寸法が大きいため、本体側端子１０４が接続片１０９から開離する前に、先端１１１ａが動作棒１０５を押して開閉接触子を開離させる、したがって、本体側端子１０４と接続片１０９との間にアークが発生しないようになっている。また、取り外された遮断器本体１００がＯＮ状態で取付台１０１に取り付けられるように操作されたときは、本体側端子１０４が接続片１０９と接触する前に、反時計方向に回転した状態になっている動作レバー１１１の先端１１１ａが動作棒１０５を押して開閉接触子を開離させる。
【０００５】
【発明が解決しようとする課題】
回路遮断器には極めて稀な現象として、開閉接触子が溶着する場合がある。この場合は、回路に電流が流れていないことを確認して遮断器本体を取り外す必要がある。しかし、従来のプラグイン型回路遮断器にあっては、溶着状態にあることを知らずに遮断器を取り外そうとすると、トリップ機構が動作しても開閉接触子が開離しないため両端子間でアークが発生することがあるという問題があった。したがって、本願発明の目的は、開閉接触子が溶着状態にあるときは遮断器本体を取付台から取り外せないように構成された安全性に優れたプラグイン型回路遮断器を提供することにある。
【０００６】
【課題を解決するための手段】
上記の問題を解決するために、請求項１の発明は、開閉接触子と本体端子とを備えた遮断器本体及び外線接続端子を備え遮断器本体の裏面に位置する取付台を有し、遮断器本体と取付台を結合することによって両端子が接触するプラグイン型回路遮断器において、遮断器本体の裏面に装着される安全ユニットを有し、安全ユニットはスライド部材と、スライド部材の変位に追随して回転するロックレバーと、スライド部材を遮断器本体方向に付勢するばねとを有し、遮断器本体は、開閉接触子の変位位置に応じて変位し、開閉接触子が接触している位置においてスライド部材のばねの付勢による変位を阻止する開閉検知部材を有し、取付台は、遮断器本体の開閉接触子が接触している位置にあるときロックレバーと当接して遮断器本体の取付方向の移動を阻止するブロック部材とロックレバーと係合して遮断器本体の取外方向の移動を阻止する係合手段を備えることとしている。
そして、このような構成により遮断器本体の開閉接触子が接触する位置にあるとき、すなわち開閉接触子が接触している場合又は溶着している場合は遮断器本体を取付台に取り付けることができず、取り外すこともできない。したがって、本体端子と外線接続端子との間でアークが発生することもない。また安全ユニットがユニット式に構成されているため、表面接続型と呼ばれている回路遮断器にこの安全ユニットを取り付けることによって簡単にプラグイン型回路遮断器を構成できる。
【０００７】
請求項２の発明は、請求項１のプラグイン型回路遮断器において、取付台に遮断器本体が取り付けられたとき安全ユニットと接触して動作するマイクロスイッチを設けることとしているため、遮断器本体が取付台に取り付けられているか否かを電気信号として検出できる。
【０００８】
【発明の実施の形態】
本発明の実施の形態を、図１ないし図１０に示される実施例において説明する。この実施例のプラグイン型回路遮断器は３極型であって、遮断器本体１０、取付台６０及び遮断器本体１０と取付台６０との間に介在する安全ユニット４０を有する。
図４を参照して、遮断器本体１０は、成形絶縁物製のケース１１上に構成された開閉接触子装置１２と開閉接触子を操作する開閉機構１３を有する開閉ユニット、成型絶縁物製のケース１４上に構成されたトリップ機構１５を有するトリップユニット及び開閉ユニットとトリップユニットとを結合し双方の表面側と側面とを覆うカバー１６とを有する。開閉接触子装置１２は、一端において一方の端子１７を兼ねる固定接触子１８、ケース１１の側壁において回転自在に支持された接触子ホルダー１９及び接触子ホルダー１９に支持された可動接触子２０を有し、可動接触子２０は可撓リード２１及びトリップ用導体２２を介して他方の端子２３に接続されている。一方の端子１７及び他方の端子２３にはプラグイン接触子構造のオス側端子２４が装着されている。
【０００９】
図５を参照して、接触子ホルダー１９の両端部１９ａは円柱状に形成されており、端部１９ａがケース１１の両側壁に形成されたＵ字状の溝１１ａと可撓リード２１の一端を保持する可撓リード保持ブロック２５の腕２５ａに挟まれて回転自在に支持されている。ケース１１の側壁の一方には窪み２６が形成されている。窪み２６は互いに連続的に形成された垂直部分２６ａと水平部分２６ｂを有し、可撓リード保持ブロック２５の腕２５ａと接触子ホルダー１９の端面１９ｂは窪み２６と同一平面上にあるように形成されている。接触子ホルダー１９の端面１９ｂの偏心した位置には突起２７が形成され、窪み２６の水平部分２６ｂにも突起２８が形成されている。
【００１０】
図１及び図６を参照して、ケース１１の窪み２６の垂直部分２６ａには中間部分に窪み２９ａが形成され、この窪み２９ａに突起２９ｂを有する開閉指示片２９がはめ込まれている。一方、窪み２６の水平部分２６ｂには突起２８によって開閉指示片操作レバー３０が支持されている。開閉指示片操作レバー３０は、その腕の中間部に接触子ホルダー１９の突起２７がはまり込む孔３０ａとその先端部に開閉指示片２９の突起２９ｂを抱え込む溝３０ｂが形成されている。
このように組み込まれている開閉指示片２９は、可動接触子２０が固定接触子１８と接触しているＯＮ状態にあるとき、すなわち接触子ホルダー１９が時計方向に回転し開閉指示片操作レバー３０が反時計方向に回転した状態にあるときは図１のごとく下方に位置する。図４及び図１において開閉機構１３に回転自在に支持されカバー１６から表面側に突き出したハンドル３１を反時計方向に回転させてＯＦＦ操作をすると、本願の主要部ではないため詳細な説明は省略するが、接触子ホルダー１９が反時計方向に回転して可動接触子２０が固定接触子１８から開離するとともに、開閉指示片操作レバー３０が時計方向に回転し開閉指示片２９は上方すなわちこの回路遮断器の表面方向にスライドする。なお、開閉指示片２９及び開閉指示片操作レバー３０の外面はケース１１の側壁の表面と同一平面になるように形成されており、カバー１６の側壁内面はケース１１の側壁表面に沿って密接する関係にあるためケース１１にカバー１６を装着することによって、これらの部材が脱落することなく回転やスライド移動が安定して行われる。図１、図２及び図３はカバー１６の一部を破断した図である。また、以下の説明において、便宜上ハンドル３１の位置に対応して、図１ないし図８の右側部分をＯＮ側、左側部分をＯＦＦ側という。また、ＯＮ側とＯＦＦ側に左右対称に備えられる部材については主としてＯＮ側に符号を付して説明をしている。
【００１１】
図６及び図７を参照して、安全ユニット４０は成形絶縁物製のベース４１上に構成されている。このベース４１の側面には遮断器本体１０のカバー１６と同一平面内に位置する側壁４２と側壁４２の内側に形成されたスライド部材ガイド壁４３が設けられ、ベース４１の裏面にはロックレバー支持壁４４及びガイド壁４５がそれぞれＯＮ側とＯＦＦ側に立脚している。ベース４１には、側壁４２に沿って表面−裏面方向に変位自在のスライド部材４６と、ロックレバー支持壁４４と側壁４２との間に回転自在に支持されているＯＮ側及びＯＦＦ側のロックレバー４７が装着されている。また、この安全ユニット４０が遮断器本体１０の裏面に装着されたとき、遮断器本体１０の開閉指示片２９と対向するように開閉検出突起４６ａがスライド部材４６に形成されている。
ＯＮ側のロックレバー４７には、スライド部材４６のＯＮ側の一端に係合するとともに溝４７ａに嵌め込まれた一方の腕とガイド壁４５に係合する他方の腕を有するロックばね４８が装着されている。このロックばね４８は、スライド部材４６をこの回路遮断器の表面方向（図６において上方向）に付勢している。ロックレバー４７は、先端部に鋭角状の折曲形状を有するロック端４７ｂを有している。このように構成されている安全ユニット４０は、ＯＮ側とＯＦＦ側の６個の孔４９にオス側端子２４を挿通させて遮断器本体１０に取り付け、４個の孔５０においてねじによって遮断器本体１０に固定される。以下、安全ユニット４０と遮断器本体１０の合体物を本体安全ユニット合体物という。
図１、図2及び図3は、それぞれ本体安全ユニット合体物を取付台６０に取り付ける前、取り付けた後で遮断器本体１０がＯＦＦの状態及びＯＮの状態における、ロックレバー４７と後述するロック片６３との係合状態やオス側端子２４と後述する端子６５との接触状態を説明する図であって、一部を切断して示している。
【００１２】
図１及び図８を参照して、取付台６０の成形絶縁物製のベース６１には、ベース６１の底部から立ち上がるように形成された端子装着ブロック６２と、この回路遮断器の表面−裏面方向の端子装着ブロック６２の壁６２ａに沿って設けられたロック片６３と、端部に形成された取付タブ６４が、それぞれＯＮ側とＯＦＦ側に設けられている。端子６５は、正面側に遮断器本体１０のオス側端子２４に対応するプラグイン接触子構造のメス側接触子６６を有し、裏面側に外線接続端子部６７を有している。メス側接触子６６は共通の基部からいずれも折り曲げられた４つの指６６ａを有し、この指の先端がばね６８によって中心方向に付勢されている。この端子６５は、安全のためオス側端子２４が挿通できる程度の小さい孔が形成されている成型絶縁物製の絶縁カバー６９によって覆われているため、正面方向から端子６５に容易に触れることができない。ロック片６３の裏面側の係合端部６３ａは、ロックレバー４７のロック端４７ｂに対応して鋭角状であって、ベース６１の底部との間にロックレバー４７のロック端４７ｂが入り込むことができる程度のスペースが設けられている。また、ベース６１の表面側には埋込ナット７０がＯＮ側とＯＦＦ側に設けられており、遮断器本体１０の表面側から挿通するねじによって遮断器本体１０が取付台６０に固定される。
【００１３】
このように構成されているこの実施例のプラグイン型回路遮断器の遮断器本体１０を取付台６０から取り外すとき及び取り付けるときの安全性について説明する。まず、図示はしていないが、安全ユニット４０を遮断器本体１０に装着するときは遮断器本体１０を開路する。このとき接触子ホルダー１９は反時計方向に回転した状態にあるため、開閉指示片２９はこの回路遮断器の正面方向に移動した位置、すなわち、開閉指示片２９の裏面側端部と遮断器本体１０の裏面の間にスペースが生じる位置にある。この状態で安全ユニット４０を遮断器本体１０に装着すると、ロックばね４８の作用によってベース４１の表面から突き出ているスライド部材４６の開閉検出突起４６ａがこのスペースに嵌まりこむ。この開閉検出突起４６ａがスペースにはまり込むとき邪魔にならないようにカバー１６には欠ぎ部１６ａが形成されている。
【００１４】
次に、図１を参照して、遮断器本体１０がＯＮ状態にあるときは本体安全ユニット合体物を取付台６０に装着できないことを説明する。遮断器本体１０をＯＮ操作すると接触子ホルダー１９が時計方向に回転し、開閉指示片２９が裏面方向（図１において下方）に変位する。スライド部材４６の変位に追随して、ＯＮ側及びＯＦＦ側のロックレバー４７がそれぞれ反時計方向及び時計方向に回転する。この状態で本体安全ユニット合体物を取付台６０方向に移動させようとすると、ロックレバー４７のロック端４７ｂがブロック部材であるロック片６３の表面側のブロック端部６３ｂにブロックされて移動することができない。このため、オス側端子２４と端子６５が接触することはない。すなわち、遮断器本体１０がＯＮ状態にあるとき又は可動接触子２０が固定接触子１８と溶着している状態において本体安全ユニット合体物を取付台６０に取り付けることができない。また、ロックレバー４７がＯＮ側及びＯＦＦ側の両方に装着した構造になっているため、遮断器本体１０が傾いてＯＮ側及びＯＦＦ側のいずれかのオス側端子２４が端子６５と接触するということもない。
【００１５】
次に、本体安全ユニット合体物を取付台６０に取り付ける操作について説明する。図１の状態において遮断器本体１０をＯＦＦ操作すると接触子ホルダー１９が反時計方向に回転し、開閉指示片２９がスライド部材４６と共に遮断器本体１０の正面方向（図１において上方向）に変位する。スライド部材４６の変位に追随して、ロックばね４８の作用によりスライド部材４６が正面方向に変位し、この変位に追随してＯＮ側及びＯＦＦ側のロックレバー４７がそれぞれ時計方向及び反時計方向に回転する。この状態では、ロックレバー４７のロック端４７ｂがロック片６３のブロック端部６３ｂにブロックされることがないため、本体安全ユニット合体物を取付台６０方向に移動させることができ、オス側端子２４を端子６５のメス側接触子６６に差し込んで安全ユニット４０を取付台６０に取り付けることができる。このとき、ガイド壁４５が端子装着ブロック６２の壁６２ａに案内されて本体安全ユニット合体物が移動し、図２の状態となる。
【００１６】
次に、本体安全ユニット合体物を取付台６０に取り付けた状態で遮断器本体１０をＯＮ操作すると、上述のごとくＯＮ側及びＯＦＦ側のロックレバー４７がそれぞれ反時計方向及び時計方向に回転付勢され、ロック端４７ｂがベース６１の底部とロック片６３の係合端部６３ａとの間に形成されているスペースに入り込む図３の状態となる。この状態で、本体安全ユニット合体物を取付台６０から取り外そうとすると係合部材であるロックレバー４７のロック端４７ｂがロック片６３の係合端部６３ａと係合して移動することができないため、ＯＮ側及びＯＦＦ側いずれのオス側端子２４も端子６５から開離することはない。すなわち、遮断器本体１０がＯＮ状態にあるとき又は可動接触子２０が固定接触子１８と溶着している状態において本体安全ユニット合体物を取付台６０から取り外すことはできない。
【００１７】
なお、点検などの理由により、ＯＮ状態で本体安全ユニット合体物を取り外す必要が生じた場合は、まず電源を遮断し、次に安全ユニット４０のベース４１の側壁４２に形成されている孔４２ａから工具などを差し込んでロックばね４８の腕とスライド部材４６の係合を解消させてロックレバー４７を自由状態にし、次に溝４７ａに工具を装着してロックレバー４７を回転させることによって、ロックレバー４７のロック端４７ｂがロック片６３の係合端部６３ａと係合しないようにすることができる。
【００１８】
以上のように、本実施例のプラグイン型回路遮断器は遮断器本体１０と安全ユニット４０相互間を着脱自在に構成している。このため、図４を参照して、オス側端子２４を備えず一方の端子１３と他方の端子２３に直接電線が取り付けられる表面接続型と呼ばれる回路遮断器からプラグイン型回路遮断器への仕様変更及びその逆の仕様変更を容易に達成できる。
【００１９】
また、このように構成されているプラグイン型回路遮断器は、本体安全ユニット合体物を取付台６０に取り付けた状態で安全ユニット４０の裏面と取付台６０の底部の間に空間が形成されている。この空間を利用して、回路遮断器に内蔵される付属品の引出線のプラグイン接続装置が設けられている。すなわち、安全ユニット４０には付属品からの引出線が接続されたオス側端子群８０が装着されている。また、取付台６０にはオス側端子群８０と対応する位置にメス側端子群８１が装着され、メス側端子群８１に接続された導出線がベース６１の底部の孔から外部へ導出することができる。そして、本体安全ユニット合体物が取付台６０に取り付けられたときオス側端子群８０がメス側端子群８１に差し込まれて、付属品が外部回路に接続される。
【００２０】
また、取付台６０にはマイクロスイッチ８２がメス側端子群８１と併設されている。マイクロスイッチ８２はその接点を開閉するノブ８２ａが表面側に位置するように設けられており、本体安全ユニット合体物が取付台６０に取り付けられたときベース４１の裏面によってノブ８２ａが押し込まれてマイクロスイッチ８２が切り替わるようになっている。したがって、このマイクロスイッチ８２は本体安全ユニット合体物が取付台６０に装着されているか否かの電気信号を発することができる。
【００２１】
【発明の効果】
本発明は、以上説明した形態で実施され、プラグイン型回路遮断器において、遮断器本体の裏面に装着される安全ユニットを有し、安全ユニットはスライド部材と、スライド部材の変位に追随して回転するロックレバーと、スライド部材を遮断器本体方向に付勢するばねとを有し、遮断器本体は、開閉接触子の変位位置に応じて変位し、開閉接触子が接触している位置においてスライド部材のばねの付勢による変位を阻止する開閉検知部材を有し、取付台は、遮断器本体の開閉接触子が接触している位置にあるときロックレバーと当接して遮断器本体の取付方向の移動を阻止するブロック部材とロックレバーと係合して遮断器本体の取外方向の移動を阻止する係合手段を備える構成とすることにより、開閉接触子が接触している場合や溶着している場合、遮断器本体を取付台に取り付けたり取り外すことができないため、本体端子と外線接続端子との間でアークが発生することがなく安全性にすぐれた回路遮断器を提供できるという効果を奏する。さらに、表面接続型と呼ばれている回路遮断器にこの安全ユニットを取り付けることによって簡単にプラグイン型回路遮断器を構成できるため、在庫の削減を実現できるという効果も奏する。
【図面の簡単な説明】
【図１】本発明によるプラグイン型回路遮断器の実施例の、ＯＮ状態にある遮断器本体が取付台に取り付けられ前の一部を切断した断面側面図である。
【図２】図１の実施例のＯＦＦ態にある遮断器本体が取付台に取り付けられた状態の図１相当図である。
【図３】遮断器本体がＯＮ状態の図２相当図である。
【図４】図１の回路遮断器の遮断器本体の内部を説明する側面断面図である。
【図５】図４の遮断器本体の開閉ユニットの側面図である。
【図６】図１の回路遮断器の遮断器本体と安全ユニットを結合した状態の側面図である。
【図７】図６の裏面図である。
【図８】図１の回路遮断器の取付台の正面図である。
【図９】図６の安全ユニットにオス側端子群をつけて裏面側から見た斜視図である。
【図１０】図８の取付台にメス側端子群とマイクロスイッチを取り付けて正面側から見た斜視図である。
【図１１】従来のプラグイン型回路遮断器の要部を示す側面図である。
【符号の説明】
１０  遮断器本体
１１  ケース
１４  ケース
１６  カバー
１７  一方の端子
１８  固定接触子
１９  接触子ホルダー
２０  可動接触子
２３  他方の端子
２４  オス側端子
２６  窪み
２９  開閉指示片
３０  開閉指示片操作レバー
４０  安全ユニット
４１  ベース
４２  側壁
４６  スライド部材
４６ａ  開閉検出突起
４７  ロックレバー
４７ａ  溝
４７ｂ  ロック端
４８  ロックばね
６０  取付台
６１  ベース
６２  端子装着ブロック
６２ａ  壁
６３  ロック片
６３ａ  係合端部
６３ｂ  ブロック端部
６５  端子
６６  メス側接触子
６６ａ  指
６７  外線接続端子部
６８  ばね
８０  オス側端子群
８１  メス側端子群
８２  マイクロスイッチ
８２ａ ノブ
【図１】
0003853245.tif 000002
【図２】
0003853245.tif 000003
【図３】
0003853245.tif 000004
【図４】
0003853245.tif 000005
【図５】
0003853245.tif 000006
【図６】
0003853245.tif 000007
【図７】
0003853245.tif 000008
【図８】
0003853245.tif 000009
【図９】
0003853245.tif 000010
【図１０】
0003853245.tif 000011
【図１１】
0003853245.tif 000012